(57)【要約】【課題】従来のポンチョ型雨具やポンチョには、ポケットを備えたものが少ない。これは従来の一般的なポケットが、本体の開口部を囲む袋状をしていることによるもので、本体から腕を外に出し、外側から本体内側へポケットを使うという方法になる。この方法では、降雨時に腕を外に出す行為は雨に濡れ、冬場では防寒の機能が損なわれるなど、本来のそれらが求める機能が失われるという問題点につながるものである。【解決手段】本考案は、ポンチョ型雨具やポンチョに開口部を持ち、内側あるいは内側外側両方向から出し入れ可能な機能とし、従来の問題点を解決する方法を提供するものである。【選択図】図１
0003126912.tif 000002
【実用新案登録請求の範囲】
【請求項１】
ポンチョ型雨具やポンチョに開口部をもち、その開口部の内側に、本体の内側や内外側両方向から出し入れができるポケット使いを可能としたことを特徴とし、そのポケット部を本体の外に向かって使用可能する本体と一体型の多機能ポケットを備えたポンチョ型雨具やポンチョに関する。
【請求項２】
前章に記載の開口部の内側上部に本体と一体型のポケット機能を設けることで、本体内側からのポケット使いを可能とし、ポケット部に手を挿入し、外に向かって出すことで、本体と一体型ポケットが防寒、防水用手袋使いとなる本体と一体型の多機能ポケットを備えた請求項１に記載のポンチョ型雨具やポンチョに関する。
【請求項３】
前章に記載の開口部の内側下部に本体と一体型のポケット機能を設けることで、本体の内側、外側両方向からの出し入れを可能とした。これらの作用により、本体内側に備えたポケットを外に引き出す作用を導くことを特徴とし、内側から引き出したポケット形体を手袋やソックス形とすれば、本体と一体型の防寒、防水用の手袋やソックス使いとなる多機能ポケットを備えた請求項１請求項２に記載の本体と一体型多機能ポケットを備えたポンチョ型雨具やポンチョに関する。
【考案の詳細な説明】
【技術分野】
【０００１】
従来のポンチョ型雨具やポンチョには、ポケット機能を有する形状のものが少ない。これは、従来の一般的なポケットが、本体の開口部を囲む袋状をしていることに起因するもので、本体の外側から内側に向かって使用する方法が一般的であるためである。しかし、この一般的なポケット形状はポンチョ型雨具やポンチョには不向きで、これらにポケット機能の付帯が少ない要因となっているのが現状である。
【０００２】
ポンチョ型雨具やポンチョにおいて、従来の一般的なポケットを適用した場合には、ポンチョ本体から外に腕を出して、本体の外側から内側に向かってポケットを使わなければならないという問題が生じてしまう。特に降雨時には、本体から腕を外に出す行為は雨に濡れ、冬場は防寒の機能が劣るなどの問題点があり、一般的な従来のポケットを備えたとしても、本来のポンチョ型雨具やポンチョが求める機能が損なわれてしまうのが現状である。
【０００３】
現在、全国的に地震や異常気象などの天災や災害への防災対策に関心が高まる中、様々な分野で簡易な形状で多機能であることが望まれている。従来の防災グッズやアウトドア用品などでは、ポンチョ型雨具やポンチョ、手袋、ソックス、靴カバーなど、各々が単体扱いで、バラバラに持ち合わせなければならないという不便さが課題である。
【０００４】
本考案は、従来のこうしたポンチョ型雨具やポンチョに、本体と一体型のポケットと、そのポケットの多機能使いを可能とした提案を特徴とするものである。
【背景技術】
【０００５】
【特許文献１】特開２０００-３５５８０４
【特許文献２】特開２００３-１１９６０５
【考案の開示】
【考案が解決しようとする課題】
【０００６】
特許文献１、特許文献２共に１枚のシート形状にフード部分と袖部分を取り付け、脇部分をジッパーや接着、縫製する事を特徴としているポンチョに関する。文献１では先端部を除き脇線全長に渡って分解可能としている。文献２ではポンチョの身頃丈を短くしてベストとし、他にズボンの機能を持たせたものである。
【０００７】
従来のポンチョ型雨具やポンチョには、ポケット機能を備えたものが少ない。これは従来の一般的なポケットが、本体の開口部を囲む袋状をしていることによるもので、この形状をポンチョ型雨具やポンチョのポケットに適用させた場合には、本体から腕を外に出し、外側から本体内側へポケットを使うという方法になる。この方法では、降雨時に腕を外に出す行為は雨に濡れ、冬場では防寒の機能が損なわれるなど、本来のそれらが求める機能が失われるという問題点につながるものである。本考案はこれらの問題点や従来からの課題を解決しようとするポンチョ型雨具やポンチョに関する。更に本考案は、このポケットの多機能使いを可能としたことを特徴とするものである。
【０００８】
本考案は、従来の袖という形状を持たないポンチョ型雨具やポンチョが、ポケット機能を付帯しにくいという課題を解決しながら、本考案は更にそのポケットの形体形状により、本体と一体型の多機能使いを可能としたことを特徴とするものである。
【０００９】
全国的に地震や異常気象などの天災や災害への関心が高まる中、様々な分野で簡易な形状で多機能であることが望まれている。従来の防災グッズやアウトドア用品などの分野では、ポンチョ型雨具やポンチョ、手袋、ソックス、靴カバーなどは各々が単体扱いで、必要に応じてバラバラに持ち合わせるという提案方法であった。
【考案の効果】
【００１０】
従来の一般的なポケットは、本体の開口部を囲む袋状をしていて、外側から内側への一方向使いで機能を果たす事が特徴である。この形状は、従来のポンチョ型雨具やポンチョ型でのポケット使いでは、本体から腕を外に出し、外側から内側へポケットを使うという方法であるために、降雨時には雨に濡れる、冬場は防寒の機能が損なわれるという問題点がある。従来のポンチョ型雨具やポンチョ型に従来型のポケットを備えたとしても、これらが提供しようとする本来の機能や目的が失われるという問題点がある。
【００１１】
これらの問題を解決するために、本考案では本体の内側、あるいは内側外側の両方向から出し入れ可能なポケット機能の提供方法を特徴とするもので、本考案により、従来のポンチョ型雨具やポンチョ型のような、袖という機能を持たない形状へ、ポケット機能効果が適用可能となることを特徴とする。
【００１２】
本考案は、ポンチョ型雨具やポンチョのように、本体に袖という機能をもたない形状であっても、降雨時や防寒用に、本体の外に腕を出さずともポケット使いができ、内側、あるいは内側外側からも両方向使いができるポケットであることを特徴とする。この内側、あるいは両方向使いを可能としたことにより、本体の内側からポケットを外側に引き出す作用が得られ、内蔵されたポケットが本体と一体型の防水、防寒用の手袋使いとなることを可能とした特徴をもつものである。
【００１３】
本考案は、ポンチョ型雨具やポンチョの内側ポケットがミトンや手袋形形状をしていて、ポンチョ型雨具やポンチョ本体の内側に内蔵され、ポケットとしての機能を果たし、そのポケットを雨具やポンチョの外側に引き出すと、本体と一体型の防寒、防水用の手袋としての機能使いを可能とした多機能ポケットであることを特徴とするものである。
【００１４】
本考案は、従来のポンチョ型雨具やポンチョに、ポケットがブーツやソックス形状をしていて、雨具やポンチョ本体の内側に内蔵されたポケットであり、防寒用ソックスや靴カバーなどの多機能使いができるものである。
【００１５】
全国的に地震や異常気象などの天災や災害への関心が高まる中、様々な分野で簡易な形状で多機能であることが望まれている。本考案は、防災グッズや屋外観戦、アウトドア用などにも適用が可能である。従来品では、ポンチョ型雨具やポンチョ、手袋、ソックスや靴カバーなど、各々を単体でバラバラに持ち合わせなければならなかったが、本考案によれば、内蔵した多機能ポケットを本体内側、あるいは外側に引き出す作用のみで、従来の問題点を解決することができるポンチョ型雨具やポンチョに内蔵された多機能ポケットである。
【考案を実施するための最良の形態】
【００１６】
従来のポケットの一方向使いという概念を一新して、ポケット開口部の内側と内側外側からの両方向使いとしたことで、本体外側にポケットを引き出す作用を導いた。このポケットの形状をミトンや手袋形にして引き出せば、降雨時や防寒用手袋として、本体と一体型の多機能を実現できるものである。
【００１７】
本考案の多機能ポケットを本体内側のソックスやブーツ形状とし、手袋形状のポケットと共に内蔵することにより、より多くの機能を備えることを可能とするものである。
【実施例】
【００１８】
以下本考案の実施形態を図１〜図３に基づいて説明する。本実施形態記載のサイズや配置、形状は、本実施形態を説明するものであり、これに限定されるものではない。
【００１９】
図１は本考案の実施例の正面図である。正面の左右に開口部をもつ。１は本体であり、２は開口部である。３は２の開口部からの雨や風の侵入を防ぐためのフラップである。
【００２０】
図１において、２の開口部は本体の外側からも内側からも出し入れが可能な開口部であり、この外側、内側からの両方向使いにより、本体内部に備えられた図２の５のポケットを外側からも内側からもポケットとしての機能使いを可能とした。
【００２１】
図２は本体１の裏面１’を現わす図である。２は本体の開口部で、４は本体の開口部の内側下部に配置された５のミトン形のポケット機能を有する部位の開口部である。この４の本体側の上端は２の開口部の内側下部に接着され、本体と一体化されており、内側、外側からのポケット機能を果たせる形状を実現させたものである。
【００２２】
図３は、本体正面側に図２の５のミトン形のポケットを内側から外側に引き出し、本体の正面側にミトン形の手袋が現れた図である。この図はポンチョ型のような、袖という機能を有さない形状の場合に外に腕を出さずにポケット使いが可能で、かつそのポケットを外側に引き出せば、防水、防寒用の手袋使いを可能とした本体と一体の多機能ポケットである。
【００２３】
図４は本体１の裏面１’の開口部上側に多機能ポケットを配置した図である。２は本体開口部であり、４はポケット開口部である。この２の開口部より４から手を挿入して多機能ポケットを本体外側に出せば、本体と一体の防水、防寒用手袋使いとなることを実現させるものである。
【図面の簡単な説明】
【００２４】
【図１】本実施形態を示すポンチョ型雨具やポンチョの正面図。
【図２】本実施形態を示す本体裏面下部に備えられた多機能ポケットの配置図。
【図３】本実施形態を示す多機能ポケットを本体の外側に導いた図。
【図４】本実施形態を示す本体裏面上部に備えられた多機能ポケットの配置図。
【符号の説明】
【００２５】
1、      本体
2、      本体開口部
3、      本体フラップ
4、      ポケット開口部
多機能ポケット本体
【図１】
0003126912.tif 000003
【図２】
0003126912.tif 000004
【図３】
0003126912.tif 000005
【図４】
0003126912.tif 000006
【手続補正書】
【提出日】平成18年7月20日(2006.7.20)
【手続補正１】
【補正対象書類名】実用新案登録請求の範囲
【補正対象項目名】全文
【補正方法】変更
【補正の内容】
【実用新案登録請求の範囲】
【請求項１】
ポンチョ型雨具やポンチョに開口部をもち、その開口部の内側に、本体の内側や内外側両方向から出し入れができるポケット使いを可能としたことを特徴とし、そのポケット部を本体の外に向かって使用可能する本体と一体型の多機能ポケットを備えたポンチョ型雨具または本体と一体型の多機能ポケットを備えたポンチョに関する。
【請求項２】
前章開口部の内側上部に本体と一体型のポケット機能を設けることで、本体内側からのポケット使いを可能とし、ポケット部に手を挿入し外に向かって出すことで、本体と一体型ポケットが防寒、防水用手袋使いとなる本体と一体型の多機能ポケットを備えた請求項１に記載のポンチョ型雨具または本体と一体型の多機能ポケットを備えたポンチョに関する。
【請求項３】
前章開口部の内側下部に本体と一体型のポケット機能を設けることで、本体の内側、外側両方向からの出し入れを可能とし、これらの作用により、本体内側に備えたポケットを外に引き出す作用を導くことを特徴とし、内側から引き出したポケット形体を手袋やソックス形とすれば、本体と一体型の防寒、防水用の手袋やソックス使いとなる多機能ポケットを備えた請求項１または請求項２に記載の本体と一体型多機能ポケットを備えたポンチョ型雨具または本体と一体型多機能ポケットを備えたポンチョに関する。
【手続補正書】
【提出日】平成18年9月14日(2006.9.14)
【手続補正１】
【補正対象書類名】実用新案登録請求の範囲
【補正対象項目名】全文
【補正方法】変更
【補正の内容】
【実用新案登録請求の範囲】
【請求項１】
ポンチョ型雨具やポンチョに開口部をもち、その開口部の内側に、本体の内側や内外側両方向から出し入れができるポケット使いを可能としたことを特徴とし、そのポケット部を本体の外に向かって使用可能する本体と一体型の多機能ポケットを備えたポンチョ型雨具または本体と一体型の多機能ポケットを備えたポンチョ。
【請求項２】
前記開口部の内側上部に本体と一体型のポケット機能を設けることで、本体内側からのポケット使いを可能とし、ポケット部に手を挿入し外に向かって出すことで、本体と一体型ポケットが防寒、防水用手袋使いとなる本体と一体型の多機能ポケットを備えた請求項１に記載のポンチョ型雨具または本体と一体型の多機能ポケットを備えたポンチョ。
【請求項３】
前記開口部の内側下部に本体と一体型のポケット機能を設けることで、本体の内側、外側両方向からの出し入れを可能とし、これらの作用により、本体内側に備えたポケットを外に引き出す作用を導くことを特徴とし、内側から引き出したポケット形体を手袋やソックス形とすれば、本体と一体型の防寒、防水用の手袋やソックス使いとなる多機能ポケットを備えた請求項１または請求項２に記載の本体と一体型多機能ポケットを備えたポンチョ型雨具または本体と一体型多機能ポケットを備えたポンチョ。